(57)【特許請求の範囲】
【請求項１】
少なくとも第１及び第２の折曲片を有するようにパネル材の端部を順次折曲して外周端部背面に嵌合溝を配置するとともに該嵌合溝に芯枠材を嵌合配置することによって外周端部に背面側突出の補強兼用の固定枠部を形成したパネルと，該パネルの上記固定枠部の位置に対応するように正面側にパネル取付面を形成した縦横の胴縁とを備え，該胴縁のパネル取付面に上記固定枠部における上記第２の折曲片を該パネル取付面の背面側から上記芯枠材に至るように配置した固定金具によって固定することによって上記パネルを胴縁に取付設置してなることを特徴とするパネル装置。
【請求項２】
上記パネルの第１の折曲片における少なくともコーナー部裏面と芯枠材との間にシール材を介設することによって第１の折曲片の突合せコーナー部に水密措置を施してなることを特徴とする請求項１に記載のパネル装置。
【請求項３】
上記胴縁を，それぞれ正面側にパネル取付面を有する幅方向に分割一対の胴縁部材によって形成するとともに該分割一対の胴縁部材を相互にスライド調整自在とすることによって隣接するパネル間に目地の形成と不形成を選択自在としてなることを特徴とする請求項１又は２に記載のパネル装置。
【請求項４】
上記分割一対の胴縁部材における一部又は全部を，上記パネル取付面と断面Ｌ字状の受面をなすようにパネル取付面から正面側に向けた交差取付面を備えて形成し，該交差取付面に上記固定枠部を上記固定金具と交差方向に保持してなることを特徴とする請求項１，２又は３に記載のパネル装置。
【請求項５】
上記交差取付面に対する固定枠部の保持を，上記交差取付面に上記固定金具と交差方向に突出配置した嵌合突部を上記固定枠部に配置した嵌合溝に嵌合した嵌合保持によって行ってなることを特徴とする請求項４に記載のパネル装置。
【請求項６】
上記交差取付面に対する固定枠部の保持を，上記交差取付面の外側面側から上記芯枠材に至るように配置した固定金具により固定した固定保持によって行なってなることを特徴とする請求項４に記載のパネル装置。
【請求項７】
上記分割一対の胴縁部材における一部又は全部を，上記パネル取付面から正面側に向けて設置した係止突片を備えて形成し，該係止突片を上記固定枠部に設置した係止溝に係止し上記固定金具抜止方向に保持してなることを特徴とする請求項１，２又は３に記載のパネル装置。
【請求項８】
上記胴縁のうち少なくとも縦胴縁を断面Ｃ字状の胴縁固定部材を介して躯体に固定するとともに該胴縁固定部材の内側に浸入雨水の排水用樋を設置又は形成してなることを特徴とする請求項１，２，３，４，５，６又は７に記載のパネル装置。
【請求項９】
上記パネルを肉厚０．４ｍｍ〜１．４ｍｍの金属薄板のパネル材によって形成してなることを特徴とする請求項１，２，３，４，５，６，７又は８に記載のパネル装置。
【請求項１０】
上記パネルを数ｍｍ程度の厚肉の単一材又は複合材のパネル材によって形成するとともにその上記折曲片形成の折曲をそれぞれ厚さ方向の表面部を残すように形成したＶ字状溝に沿って行ってなることを特徴とする請求項１，２，３，４，５，６，７又は８に記載のパネル装置。
【発明の詳細な説明】
【０００１】
【発明の属する技術分野】
本発明は建物の内装又は外装に使用するパネル装置に関する。
【０００２】
【従来の技術】
この種パネル装置は，例えばパネル材の端部を背面側に折曲して外周端部背面にパネル材とＬ字状をなすフランジを配置し該フランジのコーナー部分を相互に突き合せ溶接してパネルコーナーに水密措置を施したパネルと，該パネルのフランジにネジ止めすることによってパネル外周に配置した鋼製のフレームとを用いて，該フレームを胴縁にネジ止めすることによってフレームを介してパネルを胴縁に取付するようにしたものとされ，このときフレームは，例えばＳ字状，２連のＳ字状等に形成され，一般に胴縁へのネジ止めはフランジ間の目地底壁をなすようにフランジ間に露出したフレームにおける取付片部において正面側から胴縁に向けて螺入したネジによって行なうものとされている。
【０００３】
【発明が解決しようとする課題】
この場合内装又は外装に適した取付構造のものとすることができるが，パネルの形成に上記フランジのコーナー部分を突き合せ溶接して該コーナーの水密性を確保する必要があるため，パネルは突き合せ溶接が可能の厚さを有する，例えば１ｍｍ程度以上の肉厚を有するアルミ板，鋼板又はこれを表面に備えた複合材に限られる結果，パネルの薄肉化をなし得ないという制約があるとともに，パネルの胴縁への取付けが隣接するパネル間のフランジ間に露出するフレーム取付片部のネジ止めによってなされるため，パネル間に目地を設置することが不可欠となり，パネル配置の形態が常に目地付きのものに限られ，内装乃至外装に用いたパネル配置の外観が固定的になる傾向を招く上，パネルのフランジとフレームの固定に用いたネジが目地内に露出するために，目地にネジ隠し用のシーリング材を充填配置することが不可欠となり，パネル設置作業が煩雑化し作業効率が低下する傾向を招くという問題点がある。
【０００４】
本発明はかかる事情に鑑みてなされたもので，その解決課題とするところはパネルの肉厚における制約を解消することによって肉厚の如何を問わずに幅広い材料を使用可能にして実用的に充分な強度を備えるとともにパネルを胴縁に固定する固定金具の露出がなく，目地形成に際してシーリングを施さなくとも良好な仕上外観を確保して作業効率を可及的高度に確保し得るようにしたパネル装置を提供するにある。
【０００５】
【課題を解決するための手段】
上記課題に沿って本発明は，パネル材の端部を折曲した折曲片によって画された嵌合溝を形成するとともに該嵌合溝に，木材，硬質系の合成樹脂，アルミ等適宜の材質にして固定金具による固定可能な芯枠材を嵌合配置することによって，パネルの外周端部背面にこれと一体の折曲片と金具固定用の芯枠材とによるリブ状に突出する固定枠部を配置し，該固定枠部がパネルの補強作用を果すようにして薄肉のパネル材を用いた場合を含めて肉厚の如何を問わずに実用的に充分な強度を確保できるようにする一方，該固定枠部をパネルの胴縁への固定部とし，該固定枠部の背面を胴縁に形成したパネル取付面に金具固定することによって固定金具の露出なくパネルの胴縁への簡易且つ確実な取付設置を可能としたものであって，即ち請求項１に記載の発明を，少なくとも第１及び第２の折曲片を有するようにパネル材の端部を順次折曲して外周端部背面に嵌合溝を配置するとともに該嵌合溝に芯枠材を嵌合配置することによって外周端部に背面側突出の補強兼用の固定枠部を形成したパネルと，該パネルの上記固定枠部の位置に対応するように正面側にパネル取付面を形成した縦横の胴縁とを備え，該胴縁のパネル取付面に上記固定枠部における上記第２の折曲片を該パネル取付面の背面側から上記芯枠材に至るように配置した固定金具によって固定することによって上記パネルを胴縁に取付設置してなることを特徴とするパネル装置としたものである。
【０００６】
請求項２に記載の発明は，上記に加えて，溶接を用いることなくパネルのコーナー部にシール材による水密措置を施すようにすることによって，パネル形成を容易化するとともに薄肉のパネル材を用いた場合を含めて肉厚の如何を問わずに水密性を確保可能としたものであって，これを，上記パネルの第１の折曲片における少なくともコーナー部裏面と芯枠材との間にシール材を介設することによって第１の折曲片の突合せコーナー部に水密措置を施してなることを特徴とする請求項１に記載のパネル装置としたものである。
【０００７】
請求項３に記載の発明は，同じく上記に加えて，パネル配置の形態を目地付きのものと目地なしのものの双方を選択自在とするとともに目地付きのときにその幅を可変とし，パネル配置の形態による外観の多様性を確保可能とするように，これを，上記胴縁を，それぞれ正面側にパネル取付面を有する幅方向に分割一対の胴縁部材によって形成するとともに該分割一対の胴縁部材を相互にスライド調整自在とすることによって隣接するパネル間に目地の形成と不形成を選択自在としてなることを特徴とする請求項１又は２に記載のパネル装置としたものである。
【０００８】
請求項４に記載の発明は，同じく上記に加えて，上記固定金具による固定枠部の固定とともに該固定枠部を固定金具と交差する剪断方向に保持することによって固定枠部を胴縁の２面で確実に支持してパネルの胴縁への取付強度を高度に確保するとともにその長期に亘る耐久性を確保し得るものとするように，これを，上記分割一対の胴縁部材における一部又は全部を，上記パネル取付面と断面Ｌ字状の受面をなすようにパネル取付面から正面側に向けた交差取付面を備えて形成し，該交差取付面に上記固定枠部を上記固定金具と交差方向に保持してなることを特徴とする請求項１，２又は３に記載のパネル装置としたものである。
【０００９】
請求項５に記載の発明は，同じく上記に加えて，上記固定枠部の固定とともに交差取付面によって固定金具と交差する剪断方向に嵌合突起と嵌合溝の嵌合により保持するようにして，上記パネルの胴縁への取付強度の確保を簡易且つ確実に行なう形態のものとするように，これを，上記交差取付面に対する固定枠部の保持を，上記交差取付面に上記固定金具と交差方向に突出配置した嵌合突部を上記固定枠部に配置した嵌合溝に嵌合した嵌合保持によって行ってなることを特徴とする請求項４に記載のパネル装置としたものである。
【００１０】
請求項６に記載の発明は，上記固定枠部の固定とともに交差取付面によって固定金具と交差する剪断方向に固定金具の固定により保持するようにして，固定金具が外観に露出することなく交差方向一対の固定金具によって上記パネルの胴縁への取付強度の確保を高度に確保した形態のものとするように，これを，上記交差取付面に対する固定枠部の保持を，上記交差取付面の外側面側から上記芯枠材に至るように配置した固定金具により固定した固定保持によって行なってなることを特徴とする請求項４に記載のパネル装置としたものである。
【００１１】
請求項７に記載の発明は，同じく上記に加えて，上記固定枠部の固定とともに交差取付面によって固定金具と交差する剪断方向の保持を他の形態によって同様に簡易且つ確実に行なうものとするように，これを，上記分割一対の胴縁部材における一部又は全部を，上記パネル取付面から正面側に向けて設置した係止突片を備えて形成し，該係止突片を上記固定枠部に設置した係止溝に係止し上記固定金具抜止方向に保持してなることを特徴とする請求項１，２又は３に記載のパネル装置としたものである。
【００１２】
請求項８に記載の発明は，同じく上記に加えて，外装用のパネル装置としてパネル内に雨水が浸入してもその排出を簡易且つ確実に行い雨水の滞留を防止し得るものとするように，これを，上記胴縁のうち少なくとも縦胴縁を断面Ｃ字状の胴縁固定部材を介して躯体に固定するとともに該胴縁固定部材の内側に浸入雨水の排水用樋を設置又は形成してなることを特徴とする請求項１，２，３，４，５，６又は７に記載のパネル装置としたものである。
【００１３】
請求項９に記載の発明は，同じく上記に加えて，パネルの肉厚を可及的に薄肉化することによって，必要に応じて従来に見られない，例えばチタン等の貴の金属による高度な耐食性と斬新な外観を確保可能とする一方，パネルの低コスト化を実現し金属製パネル装置の普及を促進し得るように，これを，上記パネルを肉厚０．４ｍｍ〜１．４ｍｍの金属薄板のパネル材によって形成してなることを特徴とする請求項１，２，３，４，５，６，７又は８に記載のパネル装置としたものである。
【００１４】
請求項１０に記載の発明は，同じく上記に加えて，例えばアルポリック（商標名）等として知られる，金属，例えば表裏のアルミ板と不燃性芯材との複合板のように厚肉系の高性能パネルを用いたときに上記嵌合溝の形成を簡易且つ確実になし得るものとするように，これを，上記パネルを数ｍｍ程度の厚肉の単一材又は複合材のパネル材によって形成するとともにその上記折曲片形成の折曲をそれぞれ厚さ方向の表面部を残すように形成したＶ字状溝に沿って行ってなることを特徴とする請求項１，２，３，４，５，６，７又は８に記載のパネル装置としたものである。
【００１５】
本発明はこれらをそれぞれ発明の要旨として上記課題解決の手段としたものである。
【００１６】
【発明の実施の形態】
以下図面の例に従って本発明を更に具体的に説明すれば，図１乃至図７においてＡはパネル装置であり，該パネル装置Ａは，少なくとも第１及び第２の折曲片１１，１２を有するようにパネル材の端部を順次折曲して外周端部背面に嵌合溝１３を配置するとともに該嵌合溝１３に芯枠材１４を嵌合配置することによって外周端部に背面側突出の補強兼用の固定枠部１０を形成したパネル１と，該パネル１の上記固定枠部１０の位置に対応するように正面側にパネル取付面２２を形成した縦横の胴縁２とを備え，該胴縁２のパネル取付面２２に上記固定枠部１０における上記第２の折曲片１２を該パネル取付面２２の背面側から上記芯枠材１４に至るように配置した固定金具６によって固定して上記パネル１を胴縁２に取付設置したものとしてある。
【００１７】
本例のパネル１は，例えば５００ｍｍ×５００ｍｍ乃至１５００ｍｍ×３０００ｍｍ程度の面積の外装用にして，これを肉厚０．４ｍｍ〜１．４ｍｍの金属薄板のパネル材によって形成したものとしてあり，本例にあって該パネル材は極限的に薄肉化した肉厚０．４乃至０．６ｍｍ程度，特に０．４ｍｍの肉厚にして，例えばアルミ，ステンレス，チタン等の金属薄板を用いたものとしてある。
【００１８】
パネル１は，その外周端部背面に，上記パネル材を折曲して外周端部背面に有する一体の折曲片１１，１２と，固定金具６による固定可能の材料である，木材，硬質系の合成樹脂，アルミ等バー材の芯枠材１４とによる固定枠部１０を形成配置したものとしてある。
【００１９】
折曲片１１，１２は，パネル材の外周端部にそれぞれ断面Ｌ字状，コ字状等の曲げ加工を施すことによってパネル１外周端部背面にこれとともに断面コ字状，ロ字状等適宜断面形状の嵌合溝１３を形成するものとしてあり，本例の折曲片は，パネル材の端部からこれと直交して背面側に向けた第１の折曲片１１と，その先端を更に直交してパネル面内方向に向けた第２の折曲片１２とによるものとし，これら第１及び第２の折曲片１１，１２によって，本例にあってパネル材の裏面と断面コ字状をなして面内方向に開口した上記嵌合溝１３を形成したものとしてあり，本例の折曲片１１，１２は，例えばそれぞれ２ｃｍ程度の幅を備えたものとしてある。
【００２０】
嵌合溝１３には，例えば断面方形乃至矩形にして中実又は厚肉中空の芯枠材１４を嵌合配置することによって，パネル１の補強兼用にして後述の胴縁２への固定を可能とする固定枠部１０を形成するものとしてあり，本例にあって該固定枠部１０は嵌合溝１３の溝全体を埋めるように中実の芯枠材１４，例えば木材の芯枠材を嵌合配置することによって，これを中実枠部としてある。
【００２１】
このとき本例の中実枠部とした固定枠部１０は，その第１の折曲片１１における少なくともコーナー部裏面と芯枠材１４との間にシール材１５を介設することによって第１の折曲片１１の突合せコーナー部に水密措置を施したものとしてあり，本例にあって該シール材１５は，これを固定枠部１０の全周にして嵌合溝１３内側に上記コーナー部を含めて連続的に配置し，これによってパネル１のコーナー部から雨水がパネル１の固定枠部１０内に浸入することを防止するようにしてある。
【００２２】
固定枠部１０を中実枠部とすることによって，本例のパネル１はその外周背面側に中実の枠が配置されて，上記極限的に薄肉化したパネル１を強固に補強し，薄肉のパネル１を用いながらもパネル１の面強度を高度に確保したものとするとともに，例えば固定金具６としてネジを用いてもネジの螺装を確実にして胴縁２への強固にして耐久性に富んだ取付設置をなし得るものとしてある。
【００２３】
胴縁２は，建物躯体乃至改装時には既設壁面に，例えば格子状に配置して上記固定枠部１０を固定することによってパネル１を建物壁面を形成するように取付設置するものとしてあり，本例にあって該胴縁２，即ち縦胴縁２０と横胴縁２１は，これを建物躯体Ｂ，例えばコンクリート壁面にブラケット７を介して固定してパネル１の取付設置を行なうようにしてある。
【００２４】
胴縁２は，例えばアルミ押出材，折曲加工した鋼板等によるものとするとともに上記パネル１の上記固定枠部１０の位置に対応するように正面側にパネル取付面２２を形成し，該パネル取付面２２に上記固定枠部１０における上記第２の折曲片１２を固定金具６によって固定して上記パネル１を胴縁２に取付設置したものとしてあり，本例にあって上記固定金具６は，これをネジとし，該ネジを胴縁２の背面側から第２の折曲片１２を介して芯枠材１４に螺入することによって，ネジによる固定枠部１０の固定を行ない，パネル１の取付設置を行なうようにしてある。
【００２５】
このとき本例の胴縁２，即ち縦胴縁２０及び横胴縁２１は，これを，それぞれ正面側にパネル取付面２２を有する幅方向に分割一対の胴縁部材２０ａ，２０ｂ，２１ａ，２１ｂによって形成するとともに該分割一対の胴縁部材２０ａ，２０ｂ，２１ａ，２１ｂを相互にスライド調整自在とすることによって隣接するパネル１間に目地１７の形成と不形成を選択自在としてあり，本例にあって該分割一対の胴縁部材２０ａ，２０ｂ，２１ａ，２１ｂは，その一部又は全部を，上記パネル取付面２２と断面Ｌ字状の受面をなすようにパネル取付面２２から正面側に向けた交差取付面２３を備えて形成し，該交差取付面２３に上記固定枠部１０を上記固定金具６と交差方向に保持したものとし又は上記パネル取付面２２から正面側に向けて設置した係止突片２４を備えて形成し，該係止突片２４を上記固定枠部１０，本例にあっては上記芯枠材１４に設置した係止溝１６に係止し上記固定金具６抜止方向に保持したものとしてある。
【００２６】
即ち本例の胴縁２は，パネル１の左右乃至上下の両端部にそれぞれ分割一対の一方及び他方の胴縁部材２０ａ，２０ｂ，２１ａ，２１ｂを配置するとともに該胴縁部材２０ａ，２０ｂ，２１ａ，２１ｂが左右乃至上下の隣接相互間で幅方向，即ち左右方向乃至上下方向にスライド調整自在とし得るようにしてあり，このとき胴縁２，本例にあっては縦胴縁２０と横胴縁２１を，例えばアルミ押出材製にしてそれぞれ分割一対の胴縁部材２０ａ，２０ｂ，２１ａ，２１ｂによって分割形成してある。
【００２７】
即ち縦胴縁２０における胴縁部材２０ａ，２０ｂは，それぞれ上記正面側のパネル取付面２２と該パネル取付面２２から正面側に向けた交差取付面２３を，これらによってＬ字状の受面をなすように配置するとともに分割一方においてスライド調整用の嵌合溝条２５を，分割他方において同じくスライド調整用の嵌合突条２６を配置し且つ本例にあって各胴縁部材２０ａ，２０ｂの上記交差取付面２２に上記固定金具６，本例にあっては螺入したネジと交差方向に嵌合突部２７，本例にあっては正面側に傾斜するように傾斜方向に向けたフィン状の突条を突出配置して，これらをそれぞれ一体に成形具備したものとしてある。
【００２８】
横胴縁２１の胴縁部材２１ａ，２１ｂは，その分割一方を上記縦胴縁２０における胴縁部材と同様にパネル取付面２２，交差取付面２３，スライド調整用の嵌合用溝条２５及び該交差取付面２２の固定金具６と交差方向に突出配置した嵌合突部２７を備えて一体に成形具備したものとし，その分割他方を同じく正面側のパネル取付面２２とスライド調整用の嵌合突条２６を備え且つ該分割他方にあっては上記交差取付面２３の嵌合突部２７に代えて，上記パネル取付面２２から正面側に向けて係止突片２８，例えばパネル取付面からＬ字状に突出する鈎状引掛用の係止突片２８を設置して，同じくこれらをそれぞれ一体に成形具備したものとしてある。
【００２９】
パネル１の胴縁２への取付設置は，縦胴縁２０にあってその各胴縁部材２０ａ，２０ｂの嵌合突部２７を，本例にあって上記芯枠材１４に形成した同じく正面側に傾斜するように傾斜方向に配置した嵌合溝１３に嵌合して交差取付面２３に対する固定枠部１０の保持を行なうとともに上記ネジとした本例の固定金具６を上記のようにパネル取付面２２背面側から固定枠部１０に螺入して固定枠部１０を引寄せ固定するようにしてあり，これによって上記固定枠部１０の引寄せ固定とこれと交差方向に向けた嵌合突部２７と嵌合溝１３の嵌合の保持がなされて，ネジの引寄せとその剪断方向の嵌合によって固定枠部１０の胴縁２への固定を，強固にしてネジの抜止作用によって高度に耐久性に富んだものとすることができるようにしてある。
【００３０】
また横胴縁２１にあっては，同様に分割一方の胴縁部材２１ａによる固定金具６の引寄せ固定と同じく芯枠材１４に形成した同様な嵌合溝１３に対する嵌合突部２７の剪断方向の嵌合とによる強固にして高度に耐久性に富んだ固定枠部１０の固定を行なうとともに，分割他方の胴縁部材２１ｂにあっては上記パネル取付面２２から正面側に向けた係止突片２８を，上記固定枠部１０にこれに合せて例えばＬ字状に凹陥する鈎状引掛用に設置した係止溝１６に係止し上記固定金具１０抜止方向に保持するとともに同様に上記ネジとした固定金具６を固定枠部１０に螺入して同じく固定枠部１０を引寄せ固定するようにしてあり，これによって同様に固定枠部１０の引寄せ固定とこれと交差方向に向けた係止突片２８と係止溝１６の係止による保持がなされて，同様に胴縁２への固定を強固にして高度に耐久性に富んだものとすることができるようにしてある。
【００３１】
胴縁２は，例えば建物のコンクリート躯体ＢにＬ字ブラケット７を介して固定することによってパネル１の取付をなし得るようにその設置を行なうものとしてあるが，本例において胴縁２の設置は，その少なくとも縦胴縁２０を断面Ｃ字状の胴縁固定部材３を介して躯体Ｂに固定するとともに該胴縁固定部材３の内側に浸入雨水の排水用樋４を設置又は形成したものとしてあり，本例の胴縁２にあって該縦胴縁２０は，上記Ｌ字ブラケット７に上記胴縁固定部材３を設置固定してこれに排水用樋４を設置する一方，横胴縁２１は，上記縦胴縁２０の胴縁固定部材３の位置に合わせて連結用の胴縁連結部材５を躯体Ｂに固定したＬ字ブラケット７に連結固定し，該胴縁連結部材５を介してコンクリート躯体Ｂに固定したものとしてあり，このとき横胴縁２１における胴縁固定部材３は，これを上記躯体固定用のＬ字ブラケット７を共用してこれを用いたものとしてある。
【００３２】
縦胴縁２０における胴縁固定部材３は，例えば上記Ｌ字ブラケット７と同等長さ乃至これより幾分長めにして単一の断面Ｃ字状の鋼材を用い又は複数Ｌ字状の鋼材をその断面がＣ字状をなすように溶接一体化して用いたものとしてあり，正面側を開口するようにＬ字ブラケット７に固定し，その開口端部の両壁に上記胴縁２，特に縦胴縁２０を設置するようにし，また開口から雨水を受入排出するように内側に排水用樋４を設置固定したものとしてある。
【００３３】
排水用樋４は，例えばアルミ押出材製にして断面Ｃ字状乃至コ字状をなし同じく正面側を開口するとともにその開口両端に上記胴縁固定部材３の開口端部を受入被嵌する被嵌溝部４１を配置するとともに正面側先端に分割一対の各胴縁部材２０ａ，２０ｂとの気密材を介した対接部４２を備えたものとし，パネル１の取付設置状態において該対接部４２によってパネル１間の突合せ部分乃至目地１７から雨水がパネル１内に浸入しても胴縁部材２０ａ，２０ｂを超えてパネル１裏側に雨水が回り込むのを防止するようにしてある。
【００３４】
このとき本例の排水用樋４における，上記分割一対のうち嵌合溝条２５を配置した一方の胴縁部材２０ａ側の対接部４２は，上記被嵌溝部４１を胴縁固定部材３における開口端部の壁面を幅広に被嵌して，該胴縁部材２０ａの嵌合溝条２５壁面と該胴縁固定部材２０ａの壁面とをネジ固定自在とするように，嵌合溝条２５から側方に変位した位置にこれを設置したものとしてある。
【００３５】
このように構成した本例のパネル１と胴縁２を用いた建物外装のパネル装置Ａは，パネル１の外周端部の固定枠部１０を，それぞれ縦胴縁２０及び横胴縁２１の上記パネル取付面２２に固定し，縦胴縁２０及び横胴縁２１にパネル１を取付設置した状態で建物の外壁をなすように躯体Ｂに設置したものとしてあり，このとき上記縦胴縁２０及び横胴縁２１の各分割一対のうち，パネル１の上側一方と左右片側一方に固定した胴縁部材２１ｂ，２０ａを，上記胴縁固定部材３及び胴縁連結部材５に固定金具６，本例にあっては同じくネジによって固定し，パネル１外周端部におけるＬ字状２辺を躯体Ｂ固定用として該パネル１を上下に上吊り，左右に片持ちの状態とすることによって躯体Ｂに取付支持するとともに，パネル１の下側他方と左右片側他方に固定した胴縁部材２１ａ，２０ｂを該固定側の胴縁部材２１ｂ，２０ｂに対して上記幅方向スライド調整自在とし，必要に応じて目地１７を設置する一方，該胴縁部材２１ａ，２０ｂを，上記躯体Ｂに固定することなく，上記Ｌ字状２辺の上吊り片持ち状態によって得られるパネル１の取付設置の強度を補完し風圧等によるパネル１の揺動を防止するようにその揺動防止の支持を行なうようにしてあり，本例にあって上記胴縁部材２０ａ，２１ｂの固定は，縦胴縁２０において胴縁部材２０ａの嵌合溝条２５から側方に突出した固定片２９側からのネジによって排水用樋４を挟んで胴縁固定部材３の正面側壁面とを一体化するように行ない，横胴縁２１において嵌合突条２６からのネジによって胴縁連結部材５を同じく一体化するように行なってあり，また上記揺動防止の支持は，パネル１の下側他方において横胴縁２１における下側他方の胴縁部材２１ｂの上記スライド調整用に設置した嵌合用溝条２５の溝幅を，上記Ｌ字ブラケット７と上側一方の胴縁部材２１ａにおける嵌合突条２６の合計肉厚の厚さにほぼ合せるようにし，これらＬ字ブラケット７と嵌合突条２６を嵌合溝条２５に同時に受入嵌合することによって行なってあり又パネル１の左右片側一方において縦胴縁２０における胴縁固定部材３の正面側壁面乃至該胴縁固定部材３に設置した排水用樋４正面側先端部，本例にあっては該排水用樋４の先端部に，例えばクッション性の水密材４３を介して対接することによって行なってある。
【００３６】
図中７１はＬ字ブラケット７固定用のアンカーボルト，７２はＬ字ブラケット７と胴縁固定部材３との締着固定用ボルトナット，７３は胴縁固定部材３の形成用乃至これとＬ字ブラケット７又は胴縁連結部材５とＬ字ブラケット７の溶接部をそれぞれ示す。
【００３７】
図８乃至図１２は他の例を示すもので，図８は，例えば外壁の改装において既設外壁の外側にパネル装置Ａを設置するについて，パネル１の既設外壁からの突出寸法を可及的に少なくするように，上記Ｌ字ブラケット７を用いず，また排水用樋４の設置を行なうことなく，平板状の胴縁固定部材３を用いて胴縁２を設置するようにした例であり，本例にあって胴縁固定部材３は，アルミ押出材製平板状のプレートによるものとし，該胴縁固定部材３を，既設外壁Ｂに直接にアンカーボルト７１によって固定し，これに分割一対の胴縁部材２０ａ，２０ｂ，２１ａ，２１ｂの一方を上記と同様にパネル１の上吊り片持ち状態とするように固定し，他方を揺動防止状態に支持するものとしてある。
【００３８】
図９及び図１０は，上記金属薄板によるパネル材に代えて，上記パネル１を，例えば数ｍｍ程度の厚肉の単一材又は複合材のパネル材によって形成するとともにその上記折曲片１１，１２形成の折曲をそれぞれ厚さ方向の表面部を残すように形成したＶ字状溝に沿って行った例を示しており，本例にあって上記パネル１は，例えば表裏のアルミ板と不燃性芯材との複合板である，例えばアルポリック（商標名）を用いた高機能パネルによって形成して，同じく建物の外装を行なうようにした例を示したものである。
【００３９】
図１１乃至図１２は，上記胴縁２を，上記と同様に縦胴縁２０と横胴縁２１の双方を分割一対の胴縁部材２０ａ，２０ｂ，２１ａ，２１ｂによって形成するとともにこれら胴縁部材２０ａ，２０ｂ，２１ａ，２１ｂを，例えばステンレス等の鋼板を折曲加工することによって上記アルミ押出材製のものと基本構成を同様とするように形成し且つ胴縁部材２０ａ，２０ｂ，２１ａ，２１ｂにおける上記交差取付面２２に対する固定枠部１０の保持を，上記交差取付面２２の外側面側から上記芯枠材１４に至るように配置した固定金具６により固定した固定保持によって行なった例を示したものである。
【００４０】
図８乃至図１２のその余は，例えば部材の形状，寸法等において幾分相違することがあるが，上記図１乃至図７に示した例と基本的に変るところがないから，同一符号を付してその説明を省略する。
【００４１】
図示した例は以上のとおりとしたが，第１及び第２の折曲片を備える限り，パネル材の上記嵌合溝を形成する折曲片を捲込み曲成した中空形状とし，該嵌合溝にその長手方向から芯枠材を挿入嵌合して固定枠部を形成すること，固定枠部を，その固定金具による固定が可能である限り，内部を中空とする，例えばアルミ押出材，ファイバー強化の樹脂押出材等中空の芯枠材を用いることによって，中空のものとして構成すること，胴縁を単一のものとして構成すること，この場合目地を形成し又は目地なしのパネル配置を行なうようにそのパネル取付面を形成すること，固定金具にリベット等，ネジ以外のものを用いること，第１の折曲片の突合せコーナー部の水密措置を第１の折曲片間にシール材を介装したものとすること，胴縁又は胴縁部材に交差取付面を配置し，これによる固定枠部の保持を行なうとき，例えば接着を用いるようにすること，上記横胴縁のものを含めて分割一対の胴縁部材の全部に交差取付面を設置するようにすること，排水用樋を設けるとき胴縁固定部材に樋部を形成するようにすること，パネル装置の左右乃至上下端部や出隅，入隅等について端部用専用の胴縁乃至胴縁部材を用いること，パネルの背面に断熱材等の背面部材を配置すること，上記例と同様にパネル装置を建物の内装に使用すること等を含めて，本発明の実施に当って，パネル，そのパネル材，折曲片，固定枠部，芯枠材，胴縁，固定金具，必要に応じて用いる第１の折曲片の水密措置，分割一対の胴縁部材，交差取付面，嵌合溝，嵌合突部，係止突片，係止溝，胴縁固定部材，排水用樋等の各具体的形状，構造，材質，数，寸法，これらの関係，これらに対する付加等は，上記発明の要旨に反しない限り様々な形態のものとすることができる。
【００４２】
【発明の効果】
本発明は以上のとおりに構成したから，請求項１に記載の発明は，パネル材の端部を折曲した折曲片によって画された嵌合溝を形成するとともに該嵌合溝に，木材，硬質系の合成樹脂，アルミ等適宜の材質にして固定金具による固定可能な芯枠材を嵌合配置することによって，パネルの外周端部背面にこれと一体の折曲片と金具固定用の芯枠材とによるリブ状に突出する固定枠部を配置し，該固定枠部がパネルの補強作用を果すようにし，パネルの肉厚における制約を解消して，薄肉のパネル材を用いた場合を含めて肉厚の如何を問わずに実用的に充分な強度を確保できるようにする一方，該固定枠部をパネルの胴縁への固定部とし，該固定枠部の背面を胴縁に形成したパネル取付面に金具固定することによって固定金具の露出なく，目地形成に際してシーリングを施さなくとも良好な仕上外観を確保し，パネルの胴縁への簡易且つ確実な取付設置を可能として作業効率を可及的高度に確保し得るようにしたパネル装置を提供することができる。
【００４３】
請求項２に記載の発明は，上記に加えて，溶接を用いることなくパネルのコーナー部にシール材による水密措置を施すようにすることによって，パネル形成を容易化するとともに薄肉のパネル材を用いた場合を含めて肉厚の如何を問わずに水密性を確保可能とすることができる。
【００４４】
請求項３に記載の発明は，同じく上記に加えて，パネル配置の形態を目地付きのものと目地なしのものの双方を選択自在とするとともに目地付きのときにその幅を可変とし，パネル配置の形態による外観の多様性を確保可能とすることができる。
【００４５】
請求項４に記載の発明は，同じく上記に加えて，上記固定金具による固定枠部の固定とともに該固定枠部を固定金具と交差する剪断方向に保持することによって固定枠部を胴縁の２面で確実に支持してパネルの胴縁への取付強度を高度に確保するとともにその長期に亘る耐久性を確保し得るものとすることができる。
【００４６】
請求項５に記載の発明は，同じく上記に加えて，上記固定枠部の固定とともに交差取付面によって固定金具と交差する剪断方向に嵌合突起と嵌合溝の嵌合により保持するようにして，上記パネルの胴縁への取付強度の確保を簡易且つ確実に行なう形態のものとすることができる。
【００４７】
請求項６に記載の発明は，上記固定枠部の固定とともに交差取付面によって固定金具と交差する剪断方向に固定金具の固定により保持するようにして，固定金具が外観に露出することなく交差方向一対の固定金具によって上記パネルの胴縁への取付強度の確保を高度に確保した形態のものとすることができる。
【００４８】
請求項７に記載の発明は，同じく上記に加えて，上記固定枠部の固定とともに交差取付面によって固定金具と交差する剪断方向の保持を他の形態によって同様に簡易且つ確実に行なうものとすることができる。
【００４９】
請求項８に記載の発明は，同じく上記に加えて，外装用のパネル装置としてパネル内に雨水が浸入してもその排出を簡易且つ確実に行い雨水の滞留を防止し得るものとすることができる。
【００５０】
請求項９に記載の発明は，同じく上記に加えて，パネルの肉厚を可及的に薄肉化することによって，必要に応じて従来に見られない，例えばチタン等の貴の金属による高度な耐食性と斬新な外観を確保可能とする一方，パネルの低コスト化を実現し金属製パネル装置の普及を促進し得るものとすることができる。
【００５１】
請求項１０に記載の発明は，同じく上記に加えて，例えばアルポリック（商標名）等として知られる，金属，例えば表裏のアルミ板と不燃性芯材との複合板のように厚肉系の高性能パネルを用いたときに上記嵌合溝の形成を簡易且つ確実になし得るものとすることができる。
【図面の簡単な説明】
【図１】パネル装置の横断面図である。
【図２】パネル装置の縦断面図である。
【図３】パネル装置のパネル中間部分における縦断面図である。
【図４】図１の部分拡大横断面図である。
【図５】パネルと縦胴縁との関係を示す分解斜視図である。
【図６】図２の部分拡大縦断面図である。
【図７】パネルと縦胴縁との関係を示す分解斜視図である。
【図８】他の例に係るパネル装置の横断面図である。
【図９】他の例に係るパネル装置の横断面図である。
【図１０】図９の例の縦断面図である。
【図１１】他の例に係るパネル装置の横断面図である。
【図１２】図１１の例の縦断面図である。
【符号の説明】
Ａ  パネル装置
１  パネル
１０  固定枠部
１１  第１の折曲片
１２  第２の折曲片
１３  嵌合溝
１４  芯枠材
２  胴縁
２０  縦胴縁
２１  横胴縁
２０ａ  胴縁部材
２０ｂ  胴縁部材
２１ａ  胴縁部材
２１ｂ  胴縁部材
２２  パネル取付面
２３  交差取付面
３  胴縁固定部材
４  排水用樋
【図１】
0003860447.tif 000002
【図２】
0003860447.tif 000003
【図３】
0003860447.tif 000004
【図４】
0003860447.tif 000005
【図５】
0003860447.tif 000006
【図６】
0003860447.tif 000007
【図７】
0003860447.tif 000008
【図８】
0003860447.tif 000009
【図９】
0003860447.tif 000010
【図１０】
0003860447.tif 000011
【図１１】
0003860447.tif 000012
【図１２】
0003860447.tif 000013